(57)【要約】【課題】二次元的広がりのみならず三次元的広がりのある色々な形状を組み立てることができる組立て遊戯具を提供することである。【解決手段】均一厚みの側壁を有し、該側壁の少なくとも一つの面が平面からなる組立て遊戯具において、前記側壁の平面に突出高さが同じであって前記側壁の厚さの略１／２の長さを一辺とする略正方形の横断面からなる柱状突起が前記側壁の厚み方向を略二等分する中心線を挟んで千鳥状に略隣接して設けられていることを特徴とする組立て遊戯具。【選択図】　　　　図４
2004016409.tif 000002
【特許請求の範囲】
【請求項１】
均一厚みの側壁を有し、該側壁の少なくとも一つの面が平面からなる組立て遊戯具において、前記側壁の平面に突出高さが同じであって前記側壁の厚さの略１／２の長さを一辺とする略正方形の横断面からなる柱状突起が前記側壁の厚み方向を略二等分する中心線を挟んで千鳥状に略隣接して設けられていることを特徴とする組立て遊戯具。
【請求項２】
前記柱状突起が略立方体形状であることを特徴とする請求項１記載の組立て遊戯具。
【請求項３】
前記側壁の少なくとも一つの平面に形成した前記柱状突起が断続的に千鳥状に形成されていることを特徴とする請求項１、２のいずれかに記載の組立て遊戯具。
【発明の詳細な説明】
【０００１】
【発明の属する技術分野】
本発明は、組立て遊戯具であり、種々の形状からなる組立て遊戯具を接合することにより、多種多様の形状を組み立てることができる組立て遊戯具に関するものである。
【０００２】
【従来の技術】
従来から、子供の遊具として組み立て可能な組立て遊戯具がある。たとえば、▲１▼直方体や立方体の対向する一方の面に凸部を形成し、他方の面に凹部を形成した組立て遊戯具であり、該組立て遊戯具の凸部と凹部を嵌合していくことにより、色々な形状に組み立てるものである。しかしながら、この種の組立て遊戯具は単に決められた面と面とを嵌合するだけのものであるから、一方向にしか嵌合することができないために単純な形状のものしか組み立てられないという難点があり、子供の創造性を高めるという点では物足りないものであった。
【０００３】
上記難点を解決するものとして、たとえば、▲２▼実公平７−１５５９４号公報に記載されたような組立て遊戯具が考案された。この組立て遊戯具は上記した▲１▼の組立て遊戯具に比べると、二次元的広がりで嵌合していくことができるために、二次元的広がりの中で複雑な形状にも組み立てることができるために、子供の創造性を高める点においてはそれなりの効果を果たすものであるが、この組立て遊戯具は凹部２と凸部３とを設けた側面１ａ同士を同じ方向に接合することはできるものの、側面１ａ同士を直交する方向に嵌合することはできないし、また、側面１ａ同士が直角となるように嵌合することにも無理があり、三次元的広がりのあるものは組み立てられないという問題がある。
【０００４】
【発明が解決しようとする課題】
そこで本発明は、上記問題に鑑みてなされたものであって、二次元的広がりのみならず三次元的広がりのある色々な形状を組み立てることができる組立て遊戯具を提供することである。
【０００５】
【課題を解決するための手段】
本発明者は、上記課題を達成するために、請求項１記載の本発明は、均一厚みの側壁を有し、該側壁の少なくとも一つの面が平面からなる組立て遊戯具において、前記側壁の平面に突出高さが同じであって前記側壁の厚さの略１／２の長さを一辺とする略正方形の横断面からなる柱状突起が前記側壁の厚み方向を略二等分する中心線を挟んで千鳥状に略隣接して設けられていることを特徴とするものである。このように構成することにより、柱状突起を設けた平面同士を平行に対向するように、また、柱状突起を設けた平面同士を平行に直交するように、また、柱状突起を設けた平面同士を面々同士が直角となるように嵌合することができる組立て遊戯具とすることができるために、二次元的広がり、あるいは、三次元的広がりのある形状を組み立てることができる。
【０００６】
また、請求項２記載の本発明は、請求項１記載の組立て遊戯具において、前記柱状突起が略立方体形状であることを特徴とするものである。このように構成することにより、特に柱状突起を設けた平面同士を面々同士が直角となるように嵌合した際にしっかりと嵌合させることができると共に前記側壁の端縁同士を略隙間なく当接することができるために組み立てた形状を美しいものとすることができる。
【０００７】
また、請求項３記載の本発明は、請求項１、２のいずれかに記載の組立て遊戯具において、前記側壁の少なくとも一つの平面に形成した柱状突起が断続的に形成されていることを特徴とするものである。このように構成することにより、柱状突起を設けた平面同士を平行に対向するように嵌脱する際に小さな力で容易に嵌脱することができる組立て遊戯具とすることができる。
【０００８】
【発明の実施の形態】
上記の本発明について、図面等を用いて以下に詳述する。
図１は本発明にかかる組立て遊戯具の一実施例を示す６面図、図２は本発明にかかる組立て遊戯具の他の実施例を示す図１（ｆ）に対応する図、図３は本発明にかかる組立て遊戯具の使い方を示す第１の使用状態図、図４は本発明にかかる組立て遊戯具の使い方を示す第２の使用状態図、図５は本発明にかかる組立て遊戯具の使い方を示す第３の使用状態図であり、図中の１，１’は組立て遊戯具、２は柱状突起、３は凹部、１０は側壁、１１，１２，１３は側壁を形成する平面をそれぞれ示す。
【０００９】
図１は本発明にかかる組立て遊戯具の一実施例を示す６面図であり、（ａ）は正面図、（ｂ）は背面図、（ｃ）は右側面図、（ｄ）は左側面図、（ｅ）は平面図、（ｆ）は底面図であって、組立て遊戯具１は側壁を有する二等辺三角形の形状からなるものであり、前記側壁１０の二等辺を形成する平面１１、１２に前記側壁１０の厚さの略１／２を一辺とする略正方形の横断面からなる略立方体形状の柱状突起２が前記側壁１０の厚み方向を略二等分する中心線を挟んで千鳥状に略隣接して１０個設けられ、前記側壁１０の底辺を形成する平面１３にも上記と同じ略立方体形状の柱状突起２が上記と同様に１５個設けられているものである。このように構成することにより、千鳥状に形成された柱状突起２と該柱状突起２により千鳥状に形成された凹部３とが前記平面１１、１２、１３にそれぞれ形成され、前記柱状突起２を前記凹部３に互いに嵌合することにより組立て遊戯具１同士が接合される。
【００１０】
図２は本発明にかかる組立て遊戯具の他の実施例を示す図１（ｆ）に対応する図であって、組立て遊戯具１’は組立て遊戯具１の図１（ｆ）に示した千鳥状に設けられた前記柱状突起２が千鳥状に連続する２個が断続的に２箇所間引きされ、前記柱状突起２が４個、３個、４個と千鳥状に断続的に設けられたたものであって、これ以外は組立て遊戯具１と同じである。
【００１１】
次に、本発明の組立て遊戯具の使い方について図１に示した組立て遊戯具１を用いて説明する。
図３は本発明にかかる組立て遊戯具の使い方を示す第１の使用状態図であって、前記組立て遊戯具１の前記側壁１０の底辺を形成する平面（底面）１３に千鳥状に設けた前記柱状突起２と前記柱状突起２により千鳥状に形成された前記凹部３とを用いて前記平面１３同士を平行に嵌合することにより前記組立て遊戯具１同士を接合したものである。このように組立て遊戯具１を接合することにより、二次元的広がりのある色々な形状を組み立てることができる。なお、図示はしないが、一方に図２に示した前記組立て遊戯具１’を用いることにより、嵌脱する際の力は上記した組立て遊戯具１同士を嵌脱する場合に比べて、小さな力で嵌脱することができるし、さらに前記組立て遊戯具１’同士を底面に断続的に千鳥状に設けた前記柱状突起２と前記柱状突起２により千鳥状に形成された前記凹部３とを用いて嵌脱する場合には、さらに小さな力で嵌脱することができるために、幼児にとってはより好適なものとすることができる。
【００１２】
図４は本発明にかかる組立て遊戯具の使い方を示す第２の使用状態図であって、前記組立て遊戯具１の前記側壁１０の底辺を形成する平面（底面）１３を互いに直交するように上記と同様に前記平面１３同士を嵌合することにより組立て遊戯具１同士を接合したものである。
【００１３】
図５は本発明にかかる組立て遊戯具の使い方を示す第３の使用状態図であって、前記組立て遊戯具１の前記側壁１０の底辺を形成する平面（底面）１３同士を面々同士が直角となるように嵌合することにより組立て遊戯具１同士を接合したものである。
【００１４】
このように接合することにより、二次元的広がりのある色々な形状を組み立てることができる。図４、５に示すように組立て遊戯具１を接合することにより、三次元的広がりのある色々な形状を組み立てることができる。
【００１５】
今までは本発明の組立て遊戯具について、壁面を有する二等辺三角形の形状からなる組立て遊戯具で説明してきたが、本発明の組立て遊戯具はこれに限るものではなく、たとえば、正方形、長方形、平行四辺形（菱形を含む）等の四角形、五角形、六角形等の多角形状、あるいは、半円形状などの本発明の趣旨を逸脱しない範疇の組立て遊戯具、すなわち、均一厚みの側壁を有し、該側壁の少なくとも一つの面が平面からなる組立て遊戯具であればよいものである。また、図２に示した断続的に千鳥状に配列された柱状突起２の配列についても、図示した配列に限るものではなくて、嵌脱のし易さを考慮して千鳥状に配列された柱状突起２を適当な隙間を空けて設けることができる。さらにまた、図２に示した断続的に千鳥状に配列された柱状突起２を設ける面は、本発明にかかる組立て遊戯具の側壁のいずれか、ないし、いずれの平面に設けてもよいものである。
【００１６】
また、本発明の組立て遊戯具の側壁平面に設ける柱状突起とこの柱状突起により形成される凹部は、前記柱状突起が前記凹部に外力を加えないと嵌脱しないように構成されている。また、本発明の組立て遊戯具は木製、金属製からなるものであってもよいが、製造の容易さやコスト等を勘案すると合成樹脂製からなるものが射出成形法で製造できるために適当である。
【００１７】
【発明の効果】
以上縷々説明したように、本発明の組立て遊戯具は、均一厚みの側壁を有し、該側壁の平面に突出高さが同じであって前記側壁の厚さの略１／２を一辺とする略正方形の横断面からなる柱状突起、あるいは、前記側壁の厚さの略１／２を一辺とする略正方形の横断面からなる略立方体形状の柱状突起を前記側壁の厚み方向を略二等分する中心線を挟んで千鳥状に略隣接して設けた構成からなるために、柱状突起を設けた平面同士を平行に対向させた状態で嵌合することができるし、また、柱状突起を設けた平面同士を平行に直交するように、また、柱状突起を設けた平面同士を面々同士が直角となるように嵌合することができるために、組立て遊戯具同士を二次元的広がりのみならず三次元的広がりのある色々な形状に組み立てることができるという優れた効果を奏するものである。
【図面の簡単な説明】
【図１】本発明にかかる組立て遊戯具の一実施例を示す６面図である。
【図２】本発明にかかる組立て遊戯具の他の実施例を示す図１（ｆ）に対応する図である。
【図３】本発明にかかる組立て遊戯具の使い方を示す第１の使用状態図である。
【図４】本発明にかかる組立て遊戯具の使い方を示す第２の使用状態図である。
【図５】本発明にかかる組立て遊戯具の使い方を示す第３の使用状態図である。
【符号の説明】
１，１’　　　　　　　　　　　組立て遊戯具
２　　　　　　　　　　　　　　柱状突起
３　　　　　　　　　　　　　　凹部
１０　　　　　　　　　　　　　側壁
１１，１２，１３　　　　　　　側壁を形成する平面
【図１】
2004016409.tif 000003
【図２】
2004016409.tif 000004
【図３】
2004016409.tif 000005
【図４】
2004016409.tif 000006
【図５】
2004016409.tif 000007